(57)【要約】      （修正有）【課題】縦向或は横向に折畳でき、折畳後の体積が格別に小さく、重量が軽く、輸送及び貯蔵に便利で、弧形、球形、円柱等の異形スクリーンを実現することも容易なフレキシブルＬＥＤスクリーンを提供する。【解決手段】折畳みが可能なフレキシブルＬＥＤスクリーンは、複数のＬＥＤサブスクリーン１と、ＬＥＤサブスクリーンの筐体内に配置されるＰＣＢ板と、ＰＣＢ板上に設置されるＬＥＤ２５と、各ＰＣＢ板を電気接続する導線２２とを含む。隣接するＬＥＤサブスクリーン同士は相対的に自由に回動する接続手段１０３により相互に接続される。接続手段は回動ロッド及び回動ロッド両端に設置された回転軸を含み、回転軸がＬＥＤサブスクリーン筐体の前殻及び後殻の辺縁にそれぞれ対称に設置された凹溝に取付され、凹溝にはカバーが更に設置され、カバーには回転軸に嵌合する回転軸溝が設置される。【選択図】図１
0003199881.tif 000002
【実用新案登録請求の範囲】
【請求項１】
複数のＬＥＤサブスクリーンと、ＬＥＤサブスクリーンの筐体内に配置されるＰＣＢ板と、ＰＣＢ板上に設置されるＬＥＤと、各ＰＣＢ板を電気接続する導線とを含む自由に折畳みが可能なフレキシブルＬＥＤスクリーンにおいて、
隣接するＬＥＤサブスクリーン同士が相対的に自由に回動する接続手段により相互に接続することを特徴とする自由に折畳みが可能なフレキシブルＬＥＤスクリーン。
【請求項２】
前記接続手段は回動ロッドと、該回動ロッドの両端に設置される回転軸とを含み，前記ＬＥＤサブスクリーンの筐体は前殻及び後殻を含み、前殻及び後殻の辺縁にそれぞれ対称に凹溝が設置され、前記回動ロッドの両端に設置される回転軸がそれぞれ隣接する両ＬＥＤサブスクリーンの筐体の凹溝に取付けられ、更に前殻及び後殻の凹溝に前記回転軸を接続するカバーが設置され、回転軸に対応するカバーに回転軸と共に回動接続を構成する回転軸溝が設置され、該回転軸溝が円柱の孔状或は楕円柱の孔状とすることを特徴とする請求項１に記載の自由に折畳みが可能なフレキシブルＬＥＤスクリーン。
【請求項３】
前記回動ロッドは少なくとも二段のロッドをヒンジリンクで接続してなることを特徴とする請求項２に記載の自由に折畳みが可能なフレキシブルＬＥＤスクリーン。
【請求項４】
前記接続手段が、筐体辺縁に設置されるマンドレルと、隣接する両ＬＥＤサブスクリーンの筐体にあるマンドレルと共に回動接続を構成するリンクとを含み、リンクにはマンドレルと接続する孔が円孔或は楕円孔とすることを特徴とする請求項１に記載の自由に折畳みが可能なフレキシブルＬＥＤスクリーン。
【請求項５】
前記リンクは少なくとも二段のロッドをヒンジリンクで接続してなることを特徴とする請求項４に記載の自由に折畳みが可能なフレキシブルＬＥＤスクリーン。
【請求項６】
前記リンクは、対称リンク軸線の二つの半接続ブロックをネジで一体に接続してなることを特徴とする請求項４に記載の自由に折畳みが可能なフレキシブルＬＥＤスクリーン。
【請求項７】
前記接続手段が一段のフレキシブルロープを含み、該フレキシブルロープの両端にそれぞれジョイントが設置され、両ジョイントをそれぞれ隣接するＬＥＤサブスクリーン筐体の係止溝に係止させることを特徴とする請求項１に記載の自由に折畳みが可能なフレキシブルＬＥＤスクリーン。
【請求項８】
前記接続手段がフレキシブルロープの全体と、該フレキシブルロープの全体に間隔を置いて設置されるジョイントとを含み、該ジョイントをそれぞれ対応するＬＥＤサブスクリーン筐体の係止溝に係止させることを特徴とする請求項１に記載の自由に折畳みが可能なフレキシブルＬＥＤスクリーン。
【請求項９】
前記隣接する両ＬＥＤサブスクリーンの筐体の端面に凹凸球形の位置決め手段が設置され、該位置決め手段は、一方の筐体端面に設置される球形の凹溝、及び他方の筐体端面に設置され、前記球形の凹溝に嵌合される球形のボスとすることを特徴とする請求項１に記載の自由に折畳みが可能なフレキシブルＬＥＤスクリーン。
【請求項１０】
前記ＬＥＤサブスクリーンの筐体が前殻及び後殻を含み、後殻の辺縁にトランキングが対称に設置され、後殻の中部に更に隔離ボスが設置されることを特徴とする請求項１に記載の自由に折畳みが可能なフレキシブルＬＥＤスクリーン。
【考案の詳細な説明】
【技術分野】
【０００１】
本考案はビデオを表示するＬＥＤスクリーンに関し、特に回動自由に折畳みが可能なフレキシブルＬＥＤスクリーンに関する。
【背景技術】
【０００２】
ＬＥＤスクリーンはＬＥＤの点灯・消灯により文字、図形、図像、アニメーション、足取、ビデオ、録画信号等のさまざまな情報を表示するディスプレイクリーンである。ＬＥＤ技術の成熟と普及により、ＬＥＤスクリーンの応用がますます広くなる。然し、従来のＬＥＤディスプレイクリーンが随意に折畳できなく、特に大角度で折畳ができず、運搬、貯蔵、取付及び取外しは非常に不便になり、特には大型ＬＥＤスクリーンの運搬、貯蔵、取付及び取外しは格別に困難である。
【考案の概要】
【考案が解決しようとする課題】
【０００３】
本考案は従来のＬＥＤディスプレイクリーンは格納、取付、運搬及び貯蔵が不便であるという技術問題を解決するために、折畳可能なフレキシブルＬＥＤスクリーンを提供する。
【課題を解決するための手段】
【０００４】
本考案は、複数のＬＥＤサブスクリーンと、ＬＥＤサブスクリーンの筐体内に配置されるＰＣＢ板と、ＰＣＢ板上に設置されるＬＥＤと、各ＰＣＢ板を電気接続する導線とを含む自由に折畳みが可能なフレキシブルＬＥＤスクリーンを提供する。隣接するＬＥＤサブスクリーン同士は相対的に自由に回動する接続手段により相互に接続される。
【０００５】
好ましくは、前記接続手段は、回動ロッドと、該回動ロッドの両端に設置される回転軸とを含み、前記ＬＥＤサブスクリーンの筐体は、前殻及び後殻を含み、前殻及び後殻の辺縁に対称に凹溝が設置され、前記回転軸がそれぞれ隣接する両ＬＥＤサブスクリーンの筐体の凹溝内に取付され、前殻及び後殻の凹溝に更に前記回転軸を接続するカバーが設置され、回転軸に対応するカバーには回転軸と共に回動接続を構成する回転軸溝が設置され、該回転軸溝が円柱の孔状或は楕円柱の孔状とする。
【０００６】
好ましくは、前記回動ロッドは、少なくとも二段のロッドをヒンジリンクで接続してなる。
【０００７】
好ましくは、前記接続手段は、筐体辺縁にマンドレルが設置され、隣接する両ＬＥＤサブスクリーンの筐体にあるマンドレルと共に回動接続を構成するリンクとを含み、リンクにはマンドレルと接続する孔が円孔或は楕円孔に設置される。
【０００８】
好ましくは、前記リンクは少なくとも二段のロッドをヒンジリンクで接続してなる。
【０００９】
好ましくは、前記リンクは、リンク軸線に対して対称する二つの半接続ブロックをネジにより一体に接続してなる。
【００１０】
好ましくは、前記接続手段は、フレキシブルロープの一段を含み、該フレキシブルロープの両端にそれぞれクジョイントが設置され、この両ジョイントがそれぞれ隣接するＬＥＤサブスクリーン筐体の係止溝に係止される。
【００１１】
好ましくは、前記接続手段が全体のフレキシブルロープと、該全体フレキシブルロープに間隔を置いて設置されるジョイントとを含み、該ジョイントがそれぞれに対応するＬＥＤサブスクリーンの筐体の係止溝に係止させる。
【００１２】
好ましくは、前記隣接する両ＬＥＤサブスクリーン筐体の端面に凹凸球形の位置決め手段が設置され、該位置決め手段は、一方の筐体端面に設置される球形の凹溝及び他方の筐体端面に設置される前記球形凹溝に嵌合する球形のボスとする。
【００１３】
好ましくは、前記ＬＥＤサブスクリーンの筐体は前殻及び後殻を含み、後殻の辺縁にトランキングが対称に設置され、後殻の中部に更に隔離ボスが設置される。
【考案の効果】
【００１４】
本考案は、ＬＥＤサブスクリーン１を縦向及び横向の二方向に接続して大型スクリーンを組成してなる。組成後のスクリーンは縦向或は横向に折畳むことができる。スクリーンの折畳後の体積がコンパクトになり、その重量が伝統的な箱形スクリーンと比べて軽くなるので、輸送、貯蔵のコストが低くなり、ＬＥＤサブスクリーンが相対回動及び自由に折畳みが可能であるので、ユーザに弧形、球形及び円柱等の異形のスクリーンを実現することが容易になり、使用及び取付は簡単で便利になる。
【図面の簡単な説明】
【００１５】
【図１】本考案の自由に折畳みが可能なフレキシブルＬＥＤスクリーンの見取図である。
【図１ａ】本考案の実施例１による回動ロッドの斜視図である。
【図１ｂ】本考案の実施例１による接続手段の拡大見取図である。
【図１ｃ】本考案の実施例１による接続見取図である。
【図２ａ】本考案の実施例２による回動ロッドの斜視図である。
【図２ｂ】本考案の実施例２によるＬＥＤサブスクリーンを重畳に屈曲する状態の構造見取図である。
【図３ａ】本考案の実施例３による二種のリンク構造の斜視図である。
【図３ｂ】本考案の実施例３による二種のリンク構造の斜視図である。
【図３ｃ】本考案の実施例３による接続手段の拡大見取図である。
【図３ｄ】本考案の実施例３によるＬＥＤサブスクリーンを重畳に屈曲する状態の構造見取図である。
【図４ａ】本考案の実施例４によるリンクの斜視図である。
【図４ｂ】本考案の実施例４による接続手段の拡大見取図である。
【図４ｃ】本考案の実施例４によるＬＥＤサブスクリーンを重畳に屈曲する状態の構造見取図である。
【図５】本考案の実施例５による接続手段の斜視図である。
【図６】本考案の実施例６による接続手段の斜視図である。
【図７ａ】本考案による位置決め手段の見取図である。
【図７ｂ】本考案による位置決め手段の噛合で接続する見取図である。
【図８ａ】本考案によるＬＥＤサブスクリーンの背面面図である。
【図８ｂ】本考案による隣接する両ＬＥＤサブスクリーンの導線の接続見取図である。
【図８ｃ】本考案によるＬＥＤサブスクリーンを重畳に屈曲する状態の構造見取図である。
【考案を実施するための形態】
【００１６】
図１に示すように、本考案の提供する自由に折畳みが可能なフレキシブルＬＥＤスクリーンは、複数のＬＥＤサブスクリーン１をスプライスしてなる。ＬＥＤサブスクリーン１の筐体内にＰＣＢ板が設置され、ＰＣＢ板にＬＥＤ２５、及び各ＰＣＢ板を電気接続する導線２２が設置される。上、下、左、右方にある隣接するＬＥＤサブスクリーン１同士が相対的に自由に回動する接続手段１０３により相互に接続される。ＬＥＤサブスクリーン１は予め加工された小さなＬＥＤスクリーンであり、基本単位板として、そのサイズが一般的に２００×２００ｍｍ〜８０×８０ｍｍにあり、正方形としても良く、矩形としても良い。ＬＥＤサブスクリーン１の側辺に接続手段１０３を設置し、その数量がＬＥＤサブスクリーンの大きさ及び画像間隔により定められる。ＰＣＢ板上に複数の穴を設置することで、ＬＥＤスクリーンの透明の特殊な表示効果及びディスプレイクリーンの重量減軽及び通風を実現し、ウインデイジを低下させる。導線２２の主要な作用は電信号を伝送して給電することにある。一つの方向に接続しても良く、例えば縦向或は横向に接続し、二つの方向に接続しても良く、即ち、縦向及び横向に導線２２で接続する。
【００１７】
図１ａ〜図１ｃに参照されるように、本考案の実施例１では、接続手段１０３は回動ロッド２と、該回動ロッド両端に設置される回転軸３とを含む。ＬＥＤサブスクリーン１の筐体は前殻及び後殻を含み、前殻及び後殻の辺縁にそれぞれ凹溝４が相互に対称に設置され、回動ロッドの両端にある回転軸３がそれぞれ隣接する両ＬＥＤサブスクリーン筐体の凹溝に取付られ、前殻及び後殻の各凹溝に更にカバー５、６が設置され、回転軸３に対応するカバー５には、回転軸に嵌合する回転軸溝７が設置され、該回転軸溝が円柱の孔状或は楕円柱の孔状とする（図３ｂ）。ネジ８により両側のカバー５、６を前殻及び後殻に接続して一体にし、筐体の凹溝４、カバー５の回転軸溝７及び回動ロッドの回転軸３により隣接する両ＬＥＤサブスクリーン１が自由に回動可能に接続されるように構成する。
【００１８】
回動ロッド２の両端に回転軸３を設計するので、隣接するＬＥＤサブスクリーン１が回転軸３を中心にして回転して折畳される時に、３６０度の回転を二つの回転軸に配分でき、即ち、各ＬＥＤサブスクリーン１が回転軸の回りに１８０度回転すれば良く、このように回転に所要する空間を減少でき、厚いスクリーンの折畳及び同士間の接続を実現し、同時にスクリーンを展開した後の画像点同士間の間隔を合致させることを保証する。筐体及びＰＣＢ上面に、更に回動ロッド２回動に所要する回動溝１０５を設計し、回動溝がＬＥＤの空隙間に設計され、ＬＥＤの表示効果に影響しない。
【００１９】
図２ａ、図２ｂに示すように、本考案の実施例２は、その接続手段が大体に実施例１と同じであり、その相違点は、回動ロッド２が二段のロッドによりヒンジ３０を接続してなることにある。必要により回動ロッドが更に複数段のロッドによりヒンジを連結してなっても良い。該構造は、三つの回転軸を設計することで、厚さのより大きいスクリーンの折畳を実現する。
【００２０】
図３ａ〜図３ｄに示すように、本考案の実施例３は、接続手段は、ＬＥＤサブスクリーン１筐体の上、下、左、右辺縁に設置されるマンドレル９と、隣接する両ＬＥＤサブスクリーン１筐体上のマンドレル９と共に回動接続を構成するリンクとを含み、リンクに設置されてマンドレルに接続する孔が円孔１２（図３ａ）或は楕円孔１３（図３ｂ）とする。本実施例では、リンクはリンク軸線に準じて対称する二つの半接続ブロック１０をネジ１１により一体に接続してなる。
【００２１】
図４ａ〜図４ｃに示すように、本考案の実施例４は、その接続手段が大体に実施例１と同じであり、その相違点は、ここでリンクは、ロッド状の部材とし、且つ二段のロッド体１４をヒンジで連結してなることにある。必要によりリンクは、一段のロッド或は複数段のロッドをヒンジで連結してなっても良い。
【００２２】
図５に示すように、本考案の実施例５は、接続手段は更に一段のフレキシブルロープ１８を採用でき、該フレキシブルロープの両端にジョイント１７が設置される。両端のジョイントはそれぞれ隣接するＬＥＤサブスクリーンの筐体の係止溝に係止させることで、ＬＥＤサブスクリーンを接続する。本実施例によるフレキシブルロープ１８は鋼索を採用し、ナイロンロープ或は他のフレキシブル材料のロープを採用しても良く、ジョイント１７は銅或はアルミニウム・亜鉛合金等の材料で制作されても良い。図１を参照し、筐体は鋼索との接続部に更に内へ凹む鋼線屈曲溝１０４が設置されることで、折畳時に鋼線に十分な屈曲可能な空間を提供して自在折畳の目的を達成する。勿論、ＬＥＤサブスクリーン同士間の距離が十分に広い場合、内へ凹む鋼線屈曲溝を省略しても良い。ＰＣＢ板にも鋼線屈曲溝に対応する凹溝を設置しても良い。隣接するサブスクリーン１間の導線２２の長さが鋼索１８の長さよりも大きくなることで、鋼索１８が力を受けさせ、導線２２を引張破断させない保護目的を達成する。鋼索１８も電気接続に用いられて良く、即ち、導線２２の代りに鋼索の一部分を電源或は電信号伝送線として使用する。本実施例にある鋼索は、サブスクリーン同士間に設置される一段一段とし、スクリーンの全体は一段の鋼線で一つのサブスクリーンとこのように順次に直列連続され、下部の重量が頂部鋼索で筐体と接続することで担当されるので、全体の耐荷重能力が弱く、比較的小さく軽いスクリーンに適用される。
【００２３】
図６に示すように、本考案の実施例６は、接続手段も一の全体鋼索１９を採用でき、弾性ロープの全体に間隔を置いてジョイント１７を設置し、該ジョイントはそれぞれに対応する各ブロックＬＥＤサブスクリーンの筐体の係止溝に係止させる。このようにスクリーンの重量は鋼索１９の全体により担当され、各サブスクリーンは鋼索１９のみに付着されるため、比較的大きく重いスクリーンに適用される。
【００２４】
なお、図７ａ、図７ｂに示すように、隣接する両ＬＥＤサブスクリーン１筐体の端面（横向、縦向端面）に凹凸球形の位置決め手段が設置され、該位置決め手段は、一方の筐体端面に設置される球形の凹溝２０及び他方の筐体端面に設置される球形の凹溝２０に嵌合する球形のボス２１である。各サブスクリーンが一つの平面として展開される時、球形のボス２１と球形の凹溝２０とが相互に噛合し、上下・前後の四方向にサブスクリーンを相互に固定でき、サブスクリーン同士の上下・前後間の間隙の合致を保証し、サブスクリーンの左右距離が鋼線或は回転軸により固定されるため、スクリーン全体の画像点の分布均一性を保証し、スクリーンが反って曲がらないことを確保し、スクリーンの全体の平整度を保証する。スクリーン格納の時に、球形の凹溝及び球形のボスが干渉せずに相互に分離でき、スクリーンの格納過程に影響しない。
【００２５】
図８ａ〜図８ｃに示すように、ＬＥＤサブスクリーン１の筐体は前殻１０１及び後殻１０２を含み、後殻１０２の一端辺縁にトランキング２３が対称に設置され、後殻の中部に更に隔離ボス２４が設置される。サブスクリーン１が折畳された後、二つのサブスクリーン１間に間隙空間を有し、導線２２を接続する収納空間になることで、導線２２が押出破壊されることなく、同時に、各導線屈曲箇所に円弧ガイドを設計するので、導線を安全な弧度で屈曲できることを保証するため、導線の寿命を増加する。
【００２６】
本考案の提供する接続手段を使用し、ＬＥＤサブスクリーン１同士を縦向及び横向の二方向に相互に接続して一つの大型スクリーンを組成できる。ＬＥＤコントローラー及び給電電源を印加した後、大型スクリーンのＬＥＤビデオ表示を実現できる。組成後のスクリーンは、縦向或は横向に折畳できる。スクリーンの折畳後の体積が格別に小さくなり、重量が伝統的な箱型スクリーンよりも軽くなり、輸送、貯蔵コストがより低く、且つ取付が簡単で便利である。ＬＥＤサブスクリーンは相対自在回動及び折畳できるため、ユーザが弧形、球形、円柱等の異形スクリーンを実現することが容易で、便利に使用できる。本考案のＬＥＤサブスクリーン１は単独で使用でき、筐体を不要とすることができ、ＰＣＢだけを所有すれば良く、防護が不要な場所に用いられる。グルー全注封或はグルー半注封プロセスによりＰＣＢについて処理し、室外或は水底での作動に適用できる。
【００２７】
以上の記載は、本考案を制限せず、本考案の好適な実施例にすぎず、凡そ本考案の精神及び原則内で如何なる修正、等同の取替及び改進等を実行することは、本考案の保護範囲内に包含されるべきである。
【図１】
0003199881.tif 000003
【図１ａ】
0003199881.tif 000004
【図１ｂ】
0003199881.tif 000005
【図１ｃ】
0003199881.tif 000006
【図２ａ】
0003199881.tif 000007
【図２ｂ】
0003199881.tif 000008
【図３ａ】
0003199881.tif 000009
【図３ｂ】
0003199881.tif 000010
【図３ｃ】
0003199881.tif 000011
【図３ｄ】
0003199881.tif 000012
【図４ａ】
0003199881.tif 000013
【図４ｂ】
0003199881.tif 000014
【図４ｃ】
0003199881.tif 000015
【図５】
0003199881.tif 000016
【図６】
0003199881.tif 000017
【図７ａ】
0003199881.tif 000018
【図７ｂ】
0003199881.tif 000019
【図８ａ】
0003199881.tif 000020
【図８ｂ】
0003199881.tif 000021
【図８ｃ】
0003199881.tif 000022